(57)【要約】  本発明は、レーザ光をレンズで集光させてマークとスペースとを組み合わせたデータ列を情報記録媒体に記録する記録方法において、レーザ光の光学的な分解能の限界以上に短い長さのマークを形成するときのクーリングパルスの条件と、レーザ光の光学的な分解能の限界に達しない長さのマークを形成するときのクーリングパルスの条件とを異ならせることを特徴とする。
2011111366.tif 000002
【特許請求の範囲】
【請求項１】
レーザ光をレンズで集光させてマークとスペースとを組み合わせたデータ列を情報記録媒体に記録する記録方法であって、
前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせる、記録方法。
【請求項２】
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークである、請求項１に記載の記録方法。
【請求項３】
Ｐ≦λ／４ＮＡを満たす前記マークを形成するときの前記クーリングパルスの幅をゼロに設定し、
Ｐ＞λ／４ＮＡを満たす前記マークを形成するときの前記クーリングパルスの幅をゼロ以外に設定する、請求項２に記載の記録方法。
【請求項４】
Ｐ≦λ／４ＮＡを満たす前記マークを形成するときは、前記マークの前後のスペースの長さに関係なく前記クーリングパルスの幅をゼロに設定し、
Ｐ＞λ／４ＮＡを満たす前記マークを形成するときは、前記マークの前後のスペースの長さの少なくとも一方に応じて、前記クーリングパルスの幅をゼロ以外に設定する、請求項２に記載の記録方法。
【請求項５】
レーザ光を集光させるレンズを有する光ヘッド部と、記録用信号のパルス形状を制御する制御部とを備え、マークとスペースとを組み合わせたデータ列を情報記録媒体に記録する記録装置であって、
前記制御部は、前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせる、記録装置。
【請求項６】
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークである、請求項５に記載の記録装置。
【請求項７】
前記制御部は、
Ｐ≦λ／４ＮＡを満たす前記マークを形成するときの前記クーリングパルスの幅をゼロに設定し、
Ｐ＞λ／４ＮＡを満たす前記マークを形成するときの前記クーリングパルスの幅をゼロ以外に設定する、請求項６に記載の記録装置。
【請求項８】
前記制御部は、
Ｐ≦λ／４ＮＡを満たす前記マークを形成するときは、前記マークの前後のスペースの長さに関係なく前記クーリングパルスの幅をゼロに設定し、
Ｐ＞λ／４ＮＡを満たす前記マークを形成するときは、前記マークの前後のスペースの長さの少なくとも一方に応じて、前記クーリングパルスの幅をゼロ以外に設定する、請求項６に記載の記録装置。
【請求項９】
レンズで集光されたレーザ光が照射されることにより、マークとスペースとを組み合わせたデータ列が記録される情報記録媒体であって、
前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせた記録条件が記録されたディスク情報領域を備えた、情報記録媒体。
【発明の詳細な説明】
【技術分野】
【０００１】
本発明は、情報記録媒体への情報の記録方法および記録装置、情報記録媒体に関する。
【背景技術】
【０００２】
情報記録媒体に、情報を記録再生する装置は、大容量の情報を記録する手段として広く利用されている。【０００３】
情報記録媒体として、よく知られているものに光ディスクがある。【０００４】
光ディスクには、ＣＤ−Ｒ／ＲＷ、ＤＶＤ±Ｒ／ＲＷ、ＤＶＤ−ＲＡＭ、Ｂｌｕ−ｒａｙＤｉｓｃ（以後、「ＢＤ」とする）−Ｒ／ＲＥ、ＨＤ  ＤＶＤ−Ｒ／ＲＷ／ＲＡＭなどがある。【０００５】
光ディスクへ情報の記録を行なうには、回転する光ディスクの記録膜に、絞ったレーザ光を照射させる。【０００６】
強いエネルギーを持った光を照射させることで発生する熱エネルギーによって、記録膜を変化させ、記録マークを形成する。形成された記録マークと記録マーク間（スペースという）のそれぞれに、デジタルの“０”と“１”のどちらかを対応させて、情報を記録する。【０００７】
または、記録マークとスペースの切り替わり点を、“０”または“１”として、情報を記録する場合もある。【０００８】
１つの記録マークを形成する記録パルスは、記録マークの長さや記録速度に応じて、複数のパラメータから成り立っている。【０００９】
上記、記録パルスのことをライトストラテジ（Ｗｒｉｔｅ  Ｓｔｒａｔｅｇｙ；「ＷＳ」と記述されることもある。）と呼ぶ。【００１０】
最も簡単な記録パルスは、単一の矩形型パルスで構成されるものである。【００１１】
しかし、記録マークの長さがＴ（Ｔはチャンネルクロック周期）の数倍になるような長いマークを記録する際に、単一の矩形型パルスでは、前エッジが細く、後エッジが太く歪んだ記録マークになってしまう。【００１２】
前述したように、記録マークは熱エネルギーによって、記録膜を変化させるので、記録始めの冷えた状態では、記録膜の変化が起こりにくく、記録マークが細くなる。【００１３】
また、記録終わりはそれまでの熱エネルギーが伝搬して蓄積されているので、熱エネルギーが過剰になり、記録膜の変化が起こりやすくなっており、記録マークが太くなる。【００１４】
このように記録マークが歪むと、再生信号の波形も歪み、エラーが増加してしまう。【００１５】
また、過剰な蓄熱によって、記録膜の劣化が起こり、記録品質が劣化する可能性も高くなる。【００１６】
そこで、前記記録パルスには、記録終わりで熱エネルギーが過剰に蓄積されないようにした、複数の短いパルスから形成されるマルチパルス型や、２つのパルスの間に前記２つのパルスよりも低いレーザーパワーレベルで照射するキャッスル型、キャッスル型の終端側のパルスがないＬ−Ｓｈａｐｅ型などがある。【００１７】
例えば、非特許文献１によれば、ＢＤ−ＲＥでのマルチパルス型の例として、図１のような記載がある。【００１８】
図１（ａ）および（ｂ）は、記録パルスの形状を作るパラメータの一例として、レーザ光の照射強度と、時間軸方向に関するパルス幅やパルス位置を示している。【００１９】
ＢＤのような高密度記録においては、短いマークになるほど微妙な熱量の違いによるマーク形状への影響を受けやすいため、特に、時間軸方向に関するパラメータは、マーク長さに応じて変えることができるようになっている。【００２０】
図１内のレーザ光の照射強度に関するパラメータは、記録パワーＰｗ（１０１）、消去パワーＰｅ（１０２）、冷却パワーＰｃ（１０３）、ボトムパワーＰｂ（１０４）である。【００２１】
なお、消去パワーＰｅ（１０２）は、ＢＤ−ＲＥのような書き換え型の情報記録媒体でスペース部を形成するレーザパワーを表すが、ＢＤ−Ｒのように未記録状態から１度しか情報を記録できない追記型の情報記録媒体では、スペースパワーＰｓと呼ぶこともある。【００２２】
図１内の時間軸方向に関するパラメータは、マーク長さごとに値を変えることが可能な、始端パルス幅Ｔｔｏｐ（１０５、１０８、１１２）、始端パルス位置ｄＴｔｏｐ（１０６、１０９、１１３）、終端パルス幅Ｔｌｐ（１１０、１１４）、冷却パルス終了位置ｄＴｅ（１０７、１１１、１１５）と、４Ｔ（Ｔはチャネルクロック）以上に存在するマルチパルスの幅Ｔｍｐ（１１６）である。【００２３】
前述したような記録パルスに関するパラメータは、情報記録媒体にあらかじめ記載されている。【００２４】
また、記録パルスに関するパラメータが情報記録媒体に記載されている場合でも、レーザパワーや、パルス幅、パルス位置に関するパラメータの一部または全部が、情報記録媒体内の許可された領域に、情報記録媒体の記録再生装置によって記録されている場合、または、記録再生装置の内部メモリなどに保持される場合がある。
【先行技術文献】
【非特許文献】
【００２５】
【非特許文献１】図解  ブルーレイディスク読本  オーム社
【発明の概要】
【発明が解決しようとする課題】
【００２６】
近年では、情報記録媒体の高密度化により、記録マークの最短マーク長が検出系に依存する分解能の限界に近づいている。【００２７】
例えば、情報記録媒体が光ディスク媒体である場合では、検出系に依存する分解能とはレーザ光を集光した光スポットの大きさによる光学的な分解能を指す。【００２８】
その分解能の限界のため、符号間干渉の増大およびＳＮＲ（Ｓｉｇｎａｌ  Ｎｏｉｓｅ  Ｒａｔｉｏ）の劣化がより顕著となってくる。【００２９】
次に、記録密度について、図２、図３および図４を用いて説明する。【００３０】
図２（ａ）は２５ＧＢのＢＤの例を示す。ＢＤでは、レーザ２０１の波長は４０５ｎｍ、対物レンズ２０２の開口数（Ｎｕｍｅｒｉｃａｌ  Ａｐｅｒｔｕｒｅ；ＮＡ）は０．８５である。【００３１】
ＤＶＤ同様、ＢＤにおいても、記録データは光ディスクのトラック２００上に物理変化のマーク列２０３、２０４として、記録される。このマーク列の中で最も長さの短いものを「最短マーク」という。図では、マーク２０４が最短マークである。【００３２】
２５ＧＢ記録容量の場合、最短マーク２０４の物理的長さは０．１４９ｕｍとなっている。これは、ＤＶＤの約１／２．７に相当し、光学系の波長パラメータ（４０５ｎｍ）とＮＡパラメータ（０．８５）を変えて、レーザの分解能を上げても、光ビームが記録マークを識別できる限界である光学的な分解能の限界に近づいている。【００３３】
図３は、トラック上に記録されたマーク列に光ビームを照射させている様子を示す。ＢＤでは、上記光学系パラメータにより光スポット２０５は、約０．３９ｕｍ程度となる。光学系の構造は変えないで記録線密度向上させる場合、光スポット２０５のスポット径に対して記録マークが相対的に小さくなるため、再生の分解能は悪くなる。【００３４】
たとえば図２（ｂ）は、２５ＧＢのＢＤよりも高記録密度の光ディスクの例を示す。このディスクでも、レーザ２０１の波長は４０５ｎｍ、対物レンズ２０２の開口数（Ｎｕｍｅｒｉｃａｌ  Ａｐｅｒｔｕｒｅ；ＮＡ）は０．８５である。このディスクのマーク列２０６、２０７のうち、最短マーク２０６の物理的長さは０．１１１５ｕｍとなっている。図２（ａ）と比較すると、スポット径は同じ約０．３９ｕｍである一方、記録マークが相対的に小さくなり、かつ、マーク間隔も狭くなるため、再生の分解能は悪くなる。【００３５】
光ビームで記録マークを再生した際の再生信号の振幅は記録マークが短くなるに従って低下し、光学的な分解能の限界でゼロとなる。この記録マークの周期の逆数を空間周波数という。空間周波数の伝達関数をＯＴＦ（Ｏｐｔｉｃａｌ  Ｔｒａｎｓｆｅｒ  Ｆｕｎｃｔｉｏｎ）という。ＯＴＦの空間周波数に対する振幅依存性を表す関数をＭＴＦ（Ｍｏｄｕｌａｔｉｏｎ  Ｔｒａｎｓｆｅｒ  Ｆｕｎｃｔｉｏｎ）という。記録されるマークの長さをＰ、レンズの開口数をＮＡ、波長をλとして、ｘ＝λ／（４×Ｐ×ＮＡ）とすると、
【数１】
2011111366.tif 000003
の近似関数で表すことができる。【００３６】
ＭＴＦで示される信号振幅は、空間周波数が高くになるに従ってほぼ直線的に低下する。信号振幅がゼロとなる再生の限界周波数（ｘ＝１）を、ＭＴＦカットオフ（ｃｕｔｏｆｆ）といい、Ｐ＝λ／（４×ＮＡ）となる。ＢＤの場合は、波長λ＝４０５ｎｍ、ＮＡ＝０．８５であるのでＰは約１１９ｎｍとなる。【００３７】
図４は、記録面あたり２５ＧＢ記録容量を持つＢＤの場合のＭＴＦと最短記録マークとの関係を示すグラフである。ＢＤの最短マークの空間周波数は、ＭＴＦカットオフより低く、カットオフ主端数の８０％程度となっている。２５ＧＢの記録密度のＢＤにおいても、最短マークの再生信号の振幅は長いマークの振幅の約１０％程度と非常に小さくなっていることが分かる。ＢＤの最短マークの空間周波数が、ＯＴＦカットオフに非常に近い場合、すなわち、再生振幅がほとんど出ない場合の記録容量は、ＢＤでは、約３１．３ＧＢに相当する。最短マークの再生信号の周波数が、ＭＴＦカットオフ周波数付近である、または、それを超える周波数であると、レーザの分解能の限界、もしくは超えていることもあり、光ディスクへの記録マークの形成、形成された記録マークの再生共に非常に困難となる。図２に光ビームを用いて記録マーク列を光ディスクに記録する際の光ビームと記録マークを模式的に示す。図２（ａ）は、最短の記録マークが１４９ｎｍである場合であり、全ての記録マークはＭＴＦのカットオフ周波数を超えない範囲で記録される。図２（ｂ）は光ディスクの記録密度を更に向上させた場合の例を示す。このケースでは、一部の記録マークは光学的な分解能を示すＭＴＦカットオフ周波数を超えた長さのマークとなるために光学的な分解能以下の記録マークと、光学的な分解能以上の記録マークが混在して記録されることになる。図５は、最短マーク（２Ｔ）の空間周波数がＭＴＦカットオフ周波数よりも高く、２Ｔ以外はＭＴＦカットオフ周波数より低い場合を示しており、この場合の記録密度はＢＤと同一のトラックピッチ、ディスクサイズでは約３３．３ＧＢとなる。上記のような高密度化が進むと、ディスク上に記録が必要な所定のマーク以下の記録マークを、光学的な空間周波数を超えたサイズで記録することが必要となり領域記録となり従来と同様の記録方法では、安定に記録マークを形成することが困難となってくる。そのため、空間周波数がＭＴＦカットオフ周波数以上になるような記録マークを形成する際に、安定に記録ができる記録方法が必要となる。【００３８】
また、ＭＴＦカットオフ以上の領域でも安定に記録されると共に、実用的に、このような光ディスクを情報記録媒体として用いるためには、情報記録媒体の固体ばらつき、面内ばらつきの他に、記録パルスの時間軸方向のばらつき、レーザ光のフォーカス状態やトラッキング制御の状態などさまざまなストレスに対しても安定が求められることになる。【００３９】
例えば、図６を用いて、２Ｔ長さの記録マーク形成の一例を説明する。図６では、２Ｔ記録パルス６０１によって、２Ｔマーク６０２を形成する。比較のために１Ｔ長いマークである３Ｔマーク６０３を表しておく。【００４０】
２Ｔ記録パルス６０１は、記録パワーＰｗ（１０１）、消去パワーＰｅ（１０２）、冷却パワーＰｃ（１０３）の３つのレーザ光照射強度と、記録パワーＰｗ（１０１）の期間を表す２Ｔ−Ｔｔｏｐ（１０５）、冷却パワーＰｃ（１０３）期間の終了位置を表す２Ｔ−ｄＴｅ（１０７）で表される。ここで、ｘＴ−Ｔｔｏｐは、ｘＴマークに対応したＴｔｏｐを示しており、ｘＴ−ｄＴｅは、ｘＴマークに対応したｄＴｅを示している。他のｄＴｔｏｐ、Ｔｌｐ等でも同様に表記する。【００４１】
記録パワーＰｗ（１０１）によって、情報記録媒体の記録面に変化が起こる熱量が与えられる。追記型の情報記録媒体は、熱量を与えるだけで、変化が起こって、情報が記録されるものが一般的である。書き換え型メディアは、冷却パワーによって、急激に冷やすことで、記録マークが形成されるものが一般的である。【００４２】
しかしながら、光ディスクの記録密度を向上させ光ビームの空間周波数を超えたサイズの記録マークを形成するには、６０１の記録パルス幅を狭くして、形成される記録マークの幅を狭くする必要がある。しかし、一定以上にパルス幅を狭くすると記録媒体を加熱する熱量が不足して、記録マークの形成が困難となる。しかも、光ビームの空間周波数を超えた分解能を持つ記録マークを形成する際には、次の記録マークとの光学的な干渉が大きくなり従来の記録方法では、このような微小な記録マークを安定に形成することは非常に困難であった。【００４３】
上述してきた従来の方法は、記録マークの長さがレーザ光の光学的な分解能の限界に達しないことを前提とした方法であり、光学的な分解能の限界以上に短い長さのマークの記録を想定していない。そのため、光学的な分解能の限界以上に短い長さのマークを適切に記録することは非常に困難である。光学的な分解能の限界以上に短い長さのマークを適切に記録するためには、別の方法が必要である。【００４４】
本発明は上記従来の課題を解決するためになされたものであり、高密度化した情報記録媒体において、光学的な分解能の限界以上に短い長さのマークを安定的に記録することを可能とする記録方法、記録装置、およびそのような記録条件が記録された情報記録媒体を提供する。
【課題を解決するための手段】
【００４５】
本発明の記録方法は、レーザ光をレンズで集光させてマークとスペースとを組み合わせたデータ列を情報記録媒体に記録する記録方法であって、前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせることを特徴とする。【００４６】
ある実施形態によれば、マークの長さをＰ、前記レーザ光の波長をλ、前記レンズの開口数をＮＡとしたとき、前記レーザ光の光学的な分解能の限界以上に短い長さの前記マークは、Ｐ≦λ／４ＮＡを満たすマークであり、前記レーザ光の光学的な分解能の限界に達しない長さの前記マークは、Ｐ＞λ／４ＮＡを満たすマークである。【００４７】
ある実施形態によれば、Ｐ≦λ／４ＮＡを満たす前記マークを形成するときの前記クーリングパルスの幅をゼロに設定し、Ｐ＞λ／４ＮＡを満たす前記マークを形成するときの前記クーリングパルスの幅をゼロ以外に設定する。【００４８】
ある実施形態によれば、Ｐ≦λ／４ＮＡを満たす前記マークを形成するときは、前記マークの前後のスペースの長さに関係なく前記クーリングパルスの幅をゼロに設定し、Ｐ＞λ／４ＮＡを満たす前記マークを形成するときは、前記マークの前後のスペースの長さの少なくとも一方に応じて、前記クーリングパルスの幅をゼロ以外に設定する。【００４９】
本発明の記録装置は、レーザ光を集光させるレンズを有する光ヘッド部と、記録用信号のパルス形状を制御する制御部とを備え、マークとスペースとを組み合わせたデータ列を情報記録媒体に記録する記録装置であって、前記制御部は、前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせることを特徴とする。【００５０】
ある実施形態によれば、マークの長さをＰ、前記レーザ光の波長をλ、前記レンズの開口数をＮＡとしたとき、前記レーザ光の光学的な分解能の限界以上に短い長さの前記マークは、Ｐ≦λ／４ＮＡを満たすマークであり、前記レーザ光の光学的な分解能の限界に達しない長さの前記マークは、Ｐ＞λ／４ＮＡを満たすマークである。【００５１】
ある実施形態によれば、前記制御部は、Ｐ≦λ／４ＮＡを満たす前記マークを形成するときの前記クーリングパルスの幅をゼロに設定し、Ｐ＞λ／４ＮＡを満たす前記マークを形成するときの前記クーリングパルスの幅をゼロ以外に設定する。【００５２】
ある実施形態によれば、前記制御部は、Ｐ≦λ／４ＮＡを満たす前記マークを形成するときは、前記マークの前後のスペースの長さに関係なく前記クーリングパルスの幅をゼロに設定し、Ｐ＞λ／４ＮＡを満たす前記マークを形成するときは、前記マークの前後のスペースの長さの少なくとも一方に応じて、前記クーリングパルスの幅をゼロ以外に設定する。【００５３】
本発明の情報記録媒体は、レンズで集光されたレーザ光が照射されることにより、マークとスペースとを組み合わせたデータ列が記録される情報記録媒体であって、前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせた記録条件が記録されたディスク情報領域を備えることを特徴とする。
【発明の効果】
【００５４】
本発明によれば、レーザ光の光学的な分解能の限界以上に短い長さのマークを形成するときのクーリングパルスの条件と、レーザ光の光学的な分解能の限界に達しない長さのマークを形成するときのクーリングパルスの条件とを異ならせる。これにより、レーザ光の光学的な分解能の限界以上に短い長さのマークを安定に記録することが可能となり、非常に高い記録密度を有する情報記録媒体、およびその情報記録媒体に情報を記録する記録方法および記録装置を実現できる。また、この様な記録条件を情報記録媒体に予め記録しておくことで、様々な装置で使用されても安定した記録および再生が可能な互換性の高い情報記録媒体を実現することができる。【００５５】
また、本発明のある実施形態によれば、レーザ光の光学的な分解能の限界以上に短い長さのマーク（Ｐ≦λ／４ＮＡを満たすマーク）を形成するときは、マークの前後のスペースの長さに関係なくクーリングパルスの幅をゼロに設定し、光学的な分解能の限界に達しない長さのマーク（Ｐ＞λ／４ＮＡを満たすマーク）を形成するときは、マークの前後のスペースの長さの少なくとも一方に応じて、クーリングパルスの幅をゼロ以外に設定する。これにより、前後のスペースの熱干渉を避けて安定な記録を実現することができる。
【図面の簡単な説明】
【００５６】
【図１】（ａ）および（ｂ）は、記録パルスのパラメータと記録パルス形状の一例を示す図である。
【図２】（ａ）は２５ＧＢのＢＤの例を示す図であり、（ｂ）は２５ＧＢのＢＤよりも高記録密度の光ディスクの例を示す図である。
【図３】トラック上に記録されたマーク列に光ビームを照射させている様子を示す図である。
【図４】２５ＧＢ記録容量の場合のＯＴＦと最短記録マークとの関係を示す図である。
【図５】最短マーク（２Ｔマーク）の空間周波数がＯＴＦカットオフ周波数よりも高く、かつ、２Ｔマークの再生信号の振幅が０であるときの、信号振幅と空間周波数との関係の一例を示したグラフである。
【図６】２Ｔマークを形成する記録パルスと記録マークの関係を示す図である。
【図７】本発明の実施形態１による光ディスク装置を示す図である。
【図８Ａ】Ｎ／２型ライトストラテジの一例を示す図であって、２Ｔ記録パルス、３Ｔ記録パルス、８Ｔ記録パルスの一例を示す図である。
【図８Ｂ】Ｎ／２型ライトストラテジの一例を示す図であって、４Ｔ記録パルス、５Ｔ記録パルスの一例を示す図である。
【図８Ｃ】Ｎ／２型ライトストラテジの一例を示す図であって、６Ｔ記録パルス、７Ｔ記録パルスの一例を示す図である。
【図９Ａ】本発明の実施形態１によるＮ／２型ライトストラテジの記録パルスのパルス幅とパルス位置のパラメータの一例を示す図である。
【図９Ｂ】本発明の実施形態１による２Ｔ記録パルスのパラメータが満たす条件の一覧を示す図である。
【図１０】本発明の実施形態１によるＮ／２型ライトストラテジを示す図である。
【図１１】Ｎ−１型ライトストラテジの一例を示す図である。
【図１２】Ｎ−１型ライトストラテジの記録パルスのパルス幅とパルス位置のパラメータの一例を示す図である。
【図１３】キャッスル型ライトストラテジの一例を示す図である。
【図１４】キャッスル型ライトストラテジの記録パルスのパルス幅とパルス位置のパラメータの一例を示す図である。
【図１５】本発明の実施形態２によるＮ−１型ライトストラテジの２Ｔ記録パルスのパラメータが満たす条件の一覧である。
【図１６】本発明の実施形態２によるＮ−１型ライトストラテジを示す図である。
【図１７】本発明の実施形態３によるＮ／２型ライトストラテジを示す図である。
【図１８】本発明の実施形態による情報記録媒体を示す図である。
【図１９】本発明の実施形態による情報記録媒体を示す図である。
【発明を実施するための形態】
【００５７】
以下、図面を参照しながら本発明の実施形態を説明する。同様の構成要素には同様の参照符号を付し、同様の説明の繰り返しは省略する。
【００５８】
（実施形態１）
はじめに、第１の実施形態にかかる情報記録媒体に情報を記録する光ディスク装置を説明する。図７は、本実施形態による光ディスク装置７００を示す図である。光ディスク装置７００は、搭載された情報記録媒体７０１へ情報の記録を行う記録装置である。光ディスク装置７００は、情報記録媒体７０１からの情報の再生も行ってもよい。情報記録媒体７０１は、書き換え型の記録媒体であり、本実施例では相変化型の書き換え可能な光ディスクを用いている。光ディスク装置７００は、光ヘッド部７０２と、レーザ制御部７０３と、記録パルス生成部７０４と、再生信号処理部７０５と、データ処理部７０６と、コントローラ部７０７と、メモリ部７０８とを備える。
【００５９】
まず、光ディスク装置７００の再生動作を説明する。光ヘッド部７０２は、対物レンズを通過したレーザ光を情報記録媒体７０１の記録層に収束させ、その反射光を受光して、情報記録媒体７０１に記録された情報を示すアナログ再生信号を生成する。情報記録媒体７０１から再生されたアナログ再生信号は、再生信号処理部７０５にて信号処理される。再生信号処理部７０５は、２値化信号をデータ処理部７０６に渡す。データ処理部７０６は、受け取った２値化信号から再生データを生成してコントローラ部７０７に渡す。
【００６０】
次に、光ディスク装置７００の記録動作を説明する。コントローラ部７０７は、記録データと記録パルスパラメータを記録パルス生成部７０４に渡す。この記録パルスパラメータは、情報記録媒体７０１に記録されている。記録パルス生成部７０４は、受け取った記録データと記録パルスパラメータに基づいて、記録信号を生成する（記録用信号のパルス形状を調整する）。記録パルス生成部７０４は記録信号をレーザ制御部７０３に渡す。生成された記録信号を受け取ったレーザ制御部７０３は、記録信号をもとに、光ヘッド部７０２に搭載されたレーザの発光を制御して、情報記録媒体７０１にマークを形成する。光ヘッド部７０２のレンズがレーザ光を情報記録媒体７０１に集光させ、マークとスペースとを組み合わせたデータ列が情報記録媒体７０１に記録される。
【００６１】
本実施例では、レーザの波長は４０５ｎｍであり、レンズの開口数は０．８５であり、記録変調の符号として１−７符号系を用い、トラックピッチは３２０ｎｍとした。１−７変調符号でディスクに記録した場合には、チャンネルクロックの長さをＴとすると最短の記録マークは２Ｔとなる。また、ＮＡとλで決まるＭＴＦカットオフとなるマークサイズはＰ＝λ／（４×ＮＡ）＝１１９ｎｍとなる。本実施例では、最短のマークサイズ２Ｔ＝１１１．６ｎｍとしたので、２ＴマークはＰより短く、３Ｔマーク以上はＰより長くなっている。この２Ｔのマークサイズが１１１．５ｎｍの場合、トラックピッチが３２０ｎｍなので、１２ｃｍのＢＤと同じサイズのディスクに１面あたり約３３．４ＧＢの容量を実現出来る。これは、ＢＤの記録密度である２５ＧＢの約１．３倍であり、このような高い記録密度実現するための記録方法について、以下具体的に説明をする。
【００６２】
本実施例のような高い記録密度を実現する際には、記録されるマークが光学的な分解能であるＭＴＦカットオフ周波数より高いマークを記録することが必要となる。本実施例では、１−７変調で出現する３Ｔ〜９ＴマークはＭＴＦカットオフ以下となるが、２ＴマークはＭＴＦカットオフを超えてしまう。本実施形態では、この様な光学分解能を超えた２Ｔマークを記録するために、２Ｔのクーリングパルスの条件を、他の記録マークと異ならせることで実現に至った。レーザ光の光学的な分解能の限界以上に短い長さのマーク（Ｐ≦λ／４ＮＡを満たすマーク）を形成するときは、マークの前後のスペースの長さに関係なくクーリングパルスの幅をゼロに設定する。光学的な分解能の限界に達しない長さのマーク（Ｐ＞λ／４ＮＡを満たすマーク）を形成するときは、マークの前後のスペースの長さの少なくとも一方に応じて、クーリングパルスの幅をゼロ以外に設定する。以下、このような記録パルスの生成方法の一例を具体的に説明する。
【００６３】
図８Ａから図８Ｃは、Ｎ／２型と呼ばれるライトストラテジを示す。一例として、記録符号にＲＬＬ（１，７）を用いたとき、最短マークとなる２Ｔマーク（Ｔはチャネルクロック）から８Ｔマークまでと、データ開始位置などのタイミングを検出するためのＳｙｎｃパターンに用いる９Ｔマークを加えた記録マークが形成される。図８Ａから図８Ｃは、それらのうちの２Ｔマークから８Ｔマークの記録パルス形状を示している。
【００６４】
図８Ａに示すＮ／２型ライトストラテジの２Ｔマークは、２Ｔ−ｄＴｔｏｐ８０６の時点を開始時間とし、２Ｔ−Ｔｏｐ８０５で定義される時間を、記録パワーＰｗ８０１でレーザ発光するトップパルスと、トップパルスの立ち下がり時間から、２Ｔ−ｄＴｅ８０７で定義される冷却パワーＰｃ８０３から消去パワーＰｅ８０２への立ち上がり時間までの間、冷却パワーＰｃ８０３でレーザ発光するクーリングパルスとを有する。
【００６５】
図８Ａに示すＮ／２型ライトストラテジの３Ｔマークは、３Ｔ−ｄＴｔｏｐ８０９の時点を開始時間とし、３Ｔ−Ｔｏｐ８０８で定義される時間を、記録パワーＰｗ８０１でレーザ発光するトップパルスと、トップパルスの立ち下がり時間から、３Ｔ−ｄＴｅ８１０で定義される冷却パワーＰｃ８０３から消去パワーＰｅ８０２への立ち上がり時間までの間、冷却パワーＰｃ８０３でレーザ発光するクーリングパルスとを有する。
【００６６】
図８Ｂに示すＮ／２型ライトストラテジの４Ｔマークは、４Ｔ−ｄＴｔｏｐ８３１の時点を開始時間とし、４Ｔ−Ｔｏｐ８３０で定義される時間を、記録パワーＰｗ８０１でレーザ発光するトップパルスと、ＮＲＺＩの立ち下がりの１Ｔ前を基準とした４Ｔ−ｄＴｌｐ８３２で定義された時間を開始時間とし、４Ｔ−Ｔｌｐ８３３で定義される時間を記録パワーＰｗ８０１でレーザ発光するラストパルスと、トップパルスの立ち下り時間から、ラストパルスの立ち上がり時間までの間を、ボトムパワーＰｂ８０４でレーザ発光するボトムパルスと、ラストパルス立ち下り時間から、４Ｔ−ｄＴｅ８３４で定義される冷却パワーＰｃ８０３から消去パワーＰｅ８０２への立ち上がり時間までの間、冷却パワーＰｃ８０３でレーザ発光するクーリングパルスとを有する。
【００６７】
図８Ｂに示すＮ／２型ライトストラテジの５Ｔマークは、５Ｔ−ｄＴｔｏｐ８３６の時点を開始時間とし、５Ｔ−Ｔｏｐ８３５で定義される時間を、記録パワーＰｗ８０１でレーザ発光するトップパルスと、ＮＲＺＩの立ち下がりの２Ｔ前を基準とした５Ｔ−ｄＴｌｐ８３７で定義された時間を開始時間とし、５Ｔ−Ｔｌｐ８３８で定義される時間を記録パワーＰｗ８０１でレーザ発光するラストパルスと、トップパルスの立ち下り時間から、ラストパルスの立ち上がり時間までの間を、ボトムパワーＰｂ８０４でレーザ発光するボトムパルスと、ラストパルス立ち下り時間から、５Ｔ−ｄＴｅ８３９で定義される冷却パワーＰｃ８０３から消去パワーＰｅ８０２への立ち上がり時間までの間、冷却パワーＰｃ８０３でレーザ発光するクーリングパルスを有する。
【００６８】
図８Ｃに示すＮ／２型ライトストラテジの６Ｔマークは、６Ｔ−ｄＴｔｏｐ８１９の時点を開始時間とし、６Ｔ−Ｔｏｐ８１８で定義される時間を、記録パワーＰｗ８０１でレーザ発光するトップパルスと、ＮＲＺＩの立ち下がりの１Ｔ前を基準とした６Ｔ−ｄＴｌｐ８２２で定義された時間を開始時間とし、６Ｔ−Ｔｌｐ８２１で定義される時間を記録パワーＰｗ８０１でレーザ発光するラストパルスと、ＮＲＺＩの立ち上がりの３Ｔ後からＴｍｐ８１３で定義される時間を記録パワー８０１でレーザ発光するマルチパルスと、トップパルスの立ち下り時間から、マルチパルスの立ち上がり時間までの間およびマルチパルスの立ち下り時間から、ラストパルスの立ち上がり時間までの間を、ボトムパワーＰｂ８０４でレーザ発光するボトムパルスと、ラストパルス立ち下り時間から、６Ｔ−ｄＴｅ８２３で定義される冷却パワーＰｃ８０３から消去パワーＰｅ８０２への立ち上がり時間までの間、冷却パワーＰｃ８０３でレーザ発光するクーリングパルスとを有する。
【００６９】
図８Ｃに示すＮ／２型ライトストラテジの７Ｔマークは、７Ｔ−ｄＴｔｏｐ８２５の時点を開始時間とし、７Ｔ−Ｔｏｐ８２４で定義される時間を、記録パワーＰｗ８０１でレーザ発光するトップパルスと、ＮＲＺＩの立ち下がりの２Ｔ前を基準とした７Ｔ−ｄＴｌｐ８２８で定義された時間を開始時間とし、７Ｔ−Ｔｌｐ８２７で定義される時間を記録パワーＰｗ８０１でレーザ発光するラストパルスと、ＮＲＺＩの立ち上がりの３Ｔ後を基準とした７Ｔ−ｄＴｍｐ８２６で定義された時間を開始時間とし、Ｔｍｐ８１３で定義される時間を記録パワー８０１でレーザ発光するマルチパルスと、トップパルスの立ち下り時間から、マルチパルスの立ち上がり時間までの間およびマルチパルスの立ち下り時間から、ラストパルスの立ち上がり時間までの間を、ボトムパワーＰｂ８０４でレーザ発光するボトムパルスと、ラストパルス立ち下り時間から、７Ｔ−ｄＴｅ８２９で定義される冷却パワーＰｃ８０３から消去パワーＰｅ８０２への立ち上がり時間までの間、冷却パワーＰｃ８０３でレーザ発光するクーリングパルスを有する。
【００７０】
図８Ａに示すＮ／２型ライトストラテジの８Ｔマークは、８Ｔ−ｄＴｔｏｐ８１２の時点を開始時間とし、８Ｔ−Ｔｏｐ８１１で定義される時間を、記録パワーＰｗ８０１でレーザ発光するトップパルスと、ＮＲＺＩの立ち下がりの１Ｔ前を基準とした８Ｔ−ｄＴｌｐ８１６で定義された時間を開始時間とし、８Ｔ−Ｔｌｐ８１５で定義される時間を記録パワーＰｗ８０１でレーザ発光するラストパルスと、ＮＲＺＩの立ち上がりの３Ｔ後および５Ｔ後からＴｍｐ８１３で定義される時間を記録パワー８０１でレーザ発光するマルチパルスと、トップパルスの立ち下り時間から、マルチパルスの立ち上がり時間までの間、マルチパルスの立ち下り時間から、マルチパルスの立ち上がり時間までの間と、マルチパルスの立ち下り時間から、ラストパルスの立ち上がり時間までの間を、ボトムパワーＰｂ８０４でレーザ発光するボトムパルスと、ラストパルス立ち下り時間から、８Ｔ−ｄＴｅ８１７で定義される冷却パワーＰｃ８０３から消去パワーＰｅ８０２への立ち上がり時間までの間、冷却パワーＰｃ８０３でレーザ発光するクーリングパルスとを有する。
【００７１】
なお、図８Ａ、図８Ｂ、図８Ｃでは、ボトムパワーＰｂ８０４＜クーリングパワーＰｃ８０３となっているが、本発明はこれに限定されない。例えば、Ｐｂ＝ＰｃやＰｂ＞Ｐｃとなってもよい。
【００７２】
図９Ａに、Ｎ／２型ライトストラテジの記録パルスのパルス幅とパルス位置のパラメータの一例を示す。
【００７３】
パルス幅を表すものは、０以上の値をとり、パルス位置を表すものは、図８Ａから図８Ｃにも示したように時間が早くなる方向（始端に近づく側）を正として、表される。
【００７４】
各Ｔのトップパルスの開始位置ｄＴｔｏｐおよびトップパルス幅Ｔｔｏｐを、２Ｔマーク、３Ｔマーク、４Ｔ以上の偶数Ｔマーク、５Ｔ以上の奇数Ｔマークに分けてパラメータを持つ。
【００７５】
また、ｄＴｔｏｐおよびＴｔｏｐは、各マークの、前スペースの長さが２Ｔスペース、３Ｔスペース、４Ｔスペース、５Ｔスペース以上で分類し、さらに２Ｔマークに関しては、後ろスペースの長さが２Ｔスペース、３Ｔスペース以上に分類してパラメータを持つ。
【００７６】
各Ｔのクーリングパルス終了位置ｄＴｅを、２Ｔマーク、３Ｔマーク、４Ｔ以上の偶数Ｔマーク、５Ｔ以上の奇数Ｔマークに分けてパラメータを持つ。
【００７７】
また、ｄＴｅは、各マークの、後ろスペースの長さが２Ｔスペース、３Ｔスペース、４Ｔスペース、５Ｔスペース以上で分類し、さらに２Ｔマークに関しては、前スペースの長さが２Ｔスペース、３Ｔスペース以上に分類してパラメータを持つ。
【００７８】
ラストパルスを持つ４Ｔ以上マークのラストパルス開始位置ｄＴｌｐおよびラストパルス幅Ｔｌｐを、４Ｔ以上の偶数Ｔマーク、５Ｔ以上の奇数Ｔマークに分けてパラメータを持つ。
【００７９】
また、ｄＴｌｐおよびＴｌｐは、各マークの、後ろスペースの長さが２Ｔスペース、３Ｔスペース、４Ｔスペース、５Ｔスペース以上で分類してパラメータを持つ。
【００８０】
マルチパルスを持つ６Ｔ以上マークのマルチパルス開始位置ｄＴｍｐは、６Ｔ以上の偶数Ｔマーク、７Ｔ以上の奇数Ｔマークに分けてパラメータを持ち、マルチパルス幅Ｔｍｐは６Ｔ以上マークで共通のパラメータを持つ。
【００８１】
このとき、２ＴマークのｄＴｔｏｐ、Ｔｔｏｐ、ｄＴｅの関係が、全ての前後スペースとの関係で、以下の式（２）を満たすように設定をする。
１Ｔ［ｎｓ］  −  Ｔｔｏｐ［ｎｓ］  ＋  ｄＴｔｏｐ［ｎｓ］  −  ｄＴｅ［ｎｓ］  ＝  ０［ｎｓ］      ・・・（２）
なお、式（２）は、ｎｓ単位での計算である必要はなく、それぞれのパラメータが、例えば、Ｔをｋ（ｋは整数）等分した時間を１ｓｔｅｐとして、パルス幅やパルス位置がｓｔｅｐ数で表される場合は、
ｋ［ｓｔｅｐ］  −  Ｔｔｏｐ［ｓｔｅｐ］  ＋  ｄＴｔｏｐ［ｓｔｅｐ］  −  ｄＴｅ［ｓｔｅｐ］  ＝  ０［ｓｔｅｐ］    ・・・（３）
としてもよい。
【００８２】
図９Ａ内の記号について説明する。
【００８３】
ｄＴｔｏｐの表の中に、「ＡＸＹ」という記号があるが、「Ａ」はｄＴｔｏｐを表し、「ＸＹ」はＸＴスペース−２Ｔマーク−ＹＴスペースのように２Ｔマークの前後スペースの長さを表している。
【００８４】
例えば、Ａ４３であれば、４Ｔスペース−２Ｔマーク−３Ｔ以上スペースのｄＴｔｏｐを表している。
【００８５】
図９Ｂは、図９Ａの記号を用いて、２Ｔマークに関する全ての前後スペースのパターンにおいて、式（２）を満たす計算式をパターンごとに具体的に表したものである。
【００８６】
これにより、２Ｔマークを形成する２Ｔ記録パルスは、図１０のようになる。
【００８７】
図１０では、２Ｔ−ｄＴｔｏｐ８０６と２Ｔ−Ｔｏｐ８０５で決定されるトップパルス立ち下がり時間と、２Ｔ−ｄＴｅ８０７で決定される冷却パワーＰｃ８０３から消去パワーＰｅ８０２への立ち上がり時間とが同一となる。よって、２Ｔ記録パルスのみが、冷却パワーＰｃ８０３でレーザ発光するクーリングパルスがなくなり、トップパルスのみによる記録が行われる。
【００８８】
このように、光学的な分解能を超えたマークである２Ｔマークと、光学的な分解能を超えないマークである３Ｔ以上のマークのクーリングパルスの条件を異ならせることで、非常に安定な記録が実現可能となる。以下、この記録原理について説明を行う。前述したように、短いマークを記録する際には記録パルスを狭くすると与える熱量を小さくできるために、ある程度までは記録マークのサイズを小さくすることは可能となる。しかしながら、パルス幅を小さくすると記録媒体に与える熱量が小さくなり温度が上昇しないために記録が困難となる。特に、光学的な分解能を超えるような記録マークを形成する際には、この問題が非常に深刻になる。この問題を解決するために、本実施例では、記録時のパルス幅であるＴｔｏｐを広げると共に最小の記録マークである２Ｔのクーリングパルスをなくすことで、広いパルス幅で安定に記録媒体の温度を上昇させて安定な記録マークを一旦形成した後に、クーリングパルスによる冷却区間を持たずに一気に消去パワーとすることで、記録マークの一部を消去することが可能となる。これによって、短いマークでも温度を安定に上昇させて記録することが可能となる。しかしながら光学的な分解能を超えていない２Ｔマーク以外に、この様なクーリングパルスパワーを持たない記録モードを持ち込むと、消去パワーによってマークの一部が消去されるために所定の長さの記録マークが形成されなくなり記録密度の向上は不可能となる。本実施例では前述したように、２Ｔと２Ｔ以外でクーリングパルスの条件を異ならせることで、この課題を克服した。従来、記録密度を上げると記録マークが安定に記録されずにジッタが増加していたが、本実施例ではジッタを約３０％程度減らせるとともにパワーマージンも大幅に改善した。これは、光学分解能を超えた記録マークである２Ｔと２Ｔ以外でクーリングパルスの記録条件を異ならせたことで、パワーが変化した際の記録マークの長さ変化が一様となったことに起因している。例えば、図１１と図１２に示すＮ−１型のライトストラテジや、図１３と図１４に示すキャッスル型と呼ばれるライトストラテジにも適用可能である。本実施例の効果は、光学分解能を超えた記録マークに対して全てクーリングパルスを持たない記録条件で記録を行った際に最も顕著な効果が得られる。このことは、前述した最小の記録マークの記録原理からも導かれる。
【００８９】
なお、本実施形態では、記録パルスパラメータの記録マークの前後スペースに対する分類を、２Ｔスペース、３Ｔスペース、４Ｔスペース、５Ｔ以上スペースと分類したが、本発明はこれに限定されるものではない。例えば、２Ｔスペース、３Ｔスペース、４Ｔスペース、５Ｔスペース、６Ｔ以上スペースのようにさらに分類してもよいし、２Ｔスペース、３Ｔスペース、４Ｔ以上スペースのように分類を縮小してもよい。この場合も、光学分解能以下の記録マークに対しては、均一にクーリングパルスをなくす記録を行った場合が記録性能として最善の効果が得られる。また、この場合も、光学分解能より長い記録マークについては、記録マークの前後スペースもしくは前スペース、もしくは後スペースに応じてクーリングパルスの長さを調整することで、熱干渉によるマーク長さの変動を補正できるためにより高密度の記録が可能となる。
【００９０】
なお、本実施形態では、記録パルスパラメータの２Ｔマークに対して、前後スペースの組み合わせで分類しているが、本発明はこれに限定されるものではない。例えば、ｄＴｔｏｐ、Ｔｔｏｐ前スペースの長さのみでの分類や、ｄＴｅは後ろスペースの長さのみでの分類としてもよい。
【００９１】
なお、本実施形態では、記録符号にＲＬＬ（１，７）を用いているが、本発明はこれに限定されるものではない。最短マークが２Ｔであることに限定されない。また、本実施例では２Ｔマークが光学的な分解能を超えた場合の記録密度であったが、記録される密度に応じては３Ｔマーク以上のマークにおいても、光学的な分解能以下となるため、かならずしも２Ｔのみに限定されるものでもない。
【００９２】
なお、本実施形態では、消去パワーＰｅとして、書き換え型情報記録媒体として説明しているが、本発明はこれに限定されるものではない。消去パワーＰｅをスペースパワーＰｓとして、追記型情報記録媒体に適用可能である。
【００９３】
なお、本実施形態では、記録パルスパラメータは情報記録媒体に記載されていると説明したが、本発明はこれに限定されるものではない。例えば、光ディスク装置のメモリ部に格納されていても良い。
【００９４】
（実施形態２）
次に、本実施形態２にかかる光ディスク装置を説明する。
【００９５】
本実施形態にかかる光ディスク装置の構成は、図７に示す光ディスク装置７００の構成と同じである。したがって、本実施形態による光ディスク装置を説明するに当たっては、図７を引き続き参照する。
【００９６】
実施形態１に関連して説明した光ディスク装置の処理手順のうち、本実施形態においても同様に適用される処理手順の説明は省略する。  図７は、本発明の実施形態２による光ディスク装置７００を示す図である。
【００９７】
図１１は、Ｎ−１型と呼ばれるライトストラテジを示す。一例として、記録符号にＲＬＬ（１，７）を用いたとき、最短マークとなる２Ｔマーク（Ｔはチャネルクロック）から８Ｔマークまでと、データ開始位置などのタイミングを検出するためのＳｙｎｃパターンに用いる９Ｔマークを加えた記録マークを形成する際の記録パルス形状が示されている。
【００９８】
図１１に示すＮ−１型ライトストラテジの２Ｔマークは、２Ｔ−ｄＴｔｏｐ１１０６の時点を開始時間とし、２Ｔ−Ｔｏｐ１１０５で定義される時間を、ピークパワーＰｗ１１０１でレーザ発光するトップパルスと、トップパルスの立ち下り時間から、２Ｔ−ｄＴｓ１１０７で定義されるクーリングパワーＰｃ１１０３からスペースパワーＰｓ１１０２への立ち上がり時間までの間、クーリングパワーＰｃ１１０３でレーザ発光するクーリングパルスとを有する。
【００９９】
図１１に示すＮ−１型ライトストラテジの３Ｔマークは、３Ｔ−ｄＴｔｏｐ１１０９の時点を開始時間とし、３Ｔ−Ｔｏｐ１１０８で定義される時間を、ピークパワーＰｗ１１０１でレーザ発光するトップパルスと、ＮＲＺＩの２Ｔ後を開始時間とし、３Ｔ−Ｔｌｐ１１１０で定義される時間をピークパワーＰｗ１１０１でレーザ発光するラストパルスと、トップパルスの立ち下り時間から、ラストパルスの立ち上がり時間までの間を、ボトムパワーＰｂ１１０４でレーザ発光するボトムパルスと、ラストパルス立ち下り時間から、３Ｔ−ｄＴｓ１１１１で定義されるクーリングパワーＰｃ１１０３からスペースパワーＰｓ１１０２への立ち上がり時間までの間、Ｐｃ１１０３でレーザ発光するクーリングパルスを有する。
【０１００】
図１１に示すＮ−１型ライトストラテジのｎＴマーク（ここでのｎは４以上９以下の整数を表す）は、ｎＴ−ｄＴｔｏｐ１１１３の時点を開始時間とし、ｎＴ−Ｔｏｐ１１１２で定義される時間を、ピークパワーＰｗ１１０１でレーザ発光するトップパルスと、ＮＲＺＩの２Ｔ後からＮＲＺＩの（ｎ−１）Ｔまで、ＮＲＺＩのチャネルクロックに同期した時間を開始時間とし、Ｔｍｐ１１１６で定義される時間をピークパワーＰｗ１１０１で、次のピークパワーＰｗでの発光までの間をボトムパワーＰｂ１１０４で、レーザ発光するマルチパルスと、ＮＲＺＩの（ｎ−１）Ｔ後を開始時間とし、ｎＴ−Ｔｌｐ１１１４で定義される時間をピークパワーＰｗ１１０１でレーザ発光するラストパルスと、ラストパルス立ち下り時間から、ｎＴ−ｄＴｓ１１１５で定義されるクーリングパワーＰｃ１１０３からスペースパワーＰｓ１１０２への立ち上がり時間までの間、Ｐｃ１１０３でレーザ発光するクーリングパルスとを有する。なお、ｎＴマークを形成する各パラメータは、ｎが４から９までそれぞれで異なる値でも、ｎがある数以上は同じ値としてもよい。
【０１０１】
なお、図１１では、ボトムパワーＰｂ１１０４＜クーリングパワーＰｃ１１０３となっているが、本発明はこれに限定されない。例えば、Ｐｂ＝ＰｃやＰｂ＞Ｐｃとなってもよい。
【０１０２】
図１２に、Ｎ−１型ライトストラテジの記録パルスのパルス幅とパルス位置のパラメータの一例を示す。
【０１０３】
パルス幅を表すものは、０以上の値をとり、パルス位置を表すものは、図８にも示したように時間が早くなる方向（始端に近づく側）を正として、表される。
【０１０４】
各Ｔのトップパルスの開始位置ｄＴｔｏｐおよびトップパルス幅Ｔｔｏｐを、２Ｔマーク、３Ｔマーク、４Ｔマーク、５Ｔ以上マークに分けてパラメータを持つ。
【０１０５】
また、ｄＴｔｏｐおよびＴｔｏｐは、各マークの、前スペースの長さが２Ｔスペース、３Ｔスペース、４Ｔスペース、５Ｔスペース以上で分類し、さらに２Ｔマークに関しては、後ろスペースの長さが２Ｔスペース、３Ｔスペース以上に分類してパラメータを持つ。
【０１０６】
各Ｔのクーリングパルス終了位置ｄＴｅを、２Ｔマーク、３Ｔマーク、４Ｔマーク、５Ｔ以上マークに分けてパラメータを持つ。
【０１０７】
また、ｄＴｅは、各マークの、後ろスペースの長さが２Ｔスペース、３Ｔスペース、４Ｔスペース、５Ｔスペース以上で分類し、さらに２Ｔマークに関しては、前スペースの長さが２Ｔスペース、３Ｔスペース以上に分類してパラメータを持つ。
【０１０８】
ラストパルスを持つ３Ｔ以上マークのラストパルス開始位置ｄＴｌｐおよびラストパルス幅Ｔｌｐを、３Ｔマーク、４Ｔマーク、５Ｔ以上マークに分けてパラメータを持つ。
【０１０９】
また、ｄＴｌｐおよびＴｌｐは、各マークの、後ろスペースの長さが２Ｔスペース、３Ｔスペース、４Ｔスペース、５Ｔスペース以上で分類してパラメータを持つ。
【０１１０】
マルチパルスを持つ４Ｔ以上マークのマルチパルス幅Ｔｍｐは４Ｔ以上マークで共通のパラメータを持つ。
【０１１１】
このとき、２ＴマークのｄＴｔｏｐ、Ｔｔｏｐ、ｄＴｅの関係が、全ての前後スペースとの関係で、式（２）を満たす。
１Ｔ［ｎｓ］  −  Ｔｔｏｐ［ｎｓ］  ＋  ｄＴｔｏｐ［ｎｓ］  −  ｄＴｅ［ｎｓ］  ＝  ０［ｎｓ］      ・・・（２）
【０１１２】
図１５は、図１２の記号を用いて、２Ｔマークに関する全ての前後スペースのパターンにおいて、式（２）を満たす計算式をパターンごとに具体的に表したものである。
【０１１３】
これにより、２Ｔマークを形成する２Ｔ記録パルスは、図１６のようになる。
【０１１４】
図１６では、２Ｔ−ｄＴｔｏｐ１１０６と２Ｔ−Ｔｏｐ１１０５で決定されるトップパルス立ち下がり時間と、２Ｔ−ｄＴｅ１１０７で決定される冷却パワーＰｃ１１０３から消去パワーＰｅ１１０２への立ち上がり時間とが同一となる。
【０１１５】
よって、２Ｔ記録パルスのみが、冷却パワーＰｃ１１０３でレーザ発光するクーリングパルスがなくなり、トップパルスのみによる記録が行われる。本実施例においても実施例１と同様に、光学分解能を超える記録マークのクーリングパルス条件を、他の記録マークと異ならせることが可能となるので同じ効果を得ることができる。
【０１１６】
なお、本実施形態では、記録パルスパラメータの記録マークに対する分類を、２Ｔマーク、３Ｔマーク、４Ｔマーク、５Ｔ以上マークと分類したが、本発明はこれに限定されるものではない。例えば、２Ｔマーク、３Ｔマーク、４Ｔマーク、５Ｔマーク、６Ｔ以上マークのようにさらに分類してもよいし、また、２Ｔマーク、３Ｔマーク、４Ｔ以上マークと分類を縮小してもよい。この際も、光学分解能以下の記録マークに対しては、均一にクーリングパルスをなくす記録を行った場合が記録性能として最善の効果が得られる。
【０１１７】
なお、本実施形態では、記録パルスパラメータの記録マークの前後スペースに対する分類を、２Ｔスペース、３Ｔスペース、４Ｔスペース、５Ｔ以上スペースと分類したが、本発明はこれに限定されるものではない。例えば、２Ｔスペース、３Ｔスペース、４Ｔスペース、５Ｔスペース、６Ｔ以上スペースのようにさらに分類してもよいし、２Ｔスペース、３Ｔスペース、４Ｔ以上スペースのように分類を縮小してもよい。
【０１１８】
なお、本実施形態では、記録パルスパラメータの２Ｔマークに対して、前後スペースの組み合わせで分類しているが、本発明はこれに限定されるものではない。例えば、ｄＴｔｏｐ、Ｔｔｏｐ前スペースの長さのみでの分類や、ｄＴｅは後ろスペースの長さのみでの分類としてもよい。
【０１１９】
なお、本実施形態では、記録符号にＲＬＬ（１，７）を用いているが、本発明はこれに限定されるものではない。最短マークが２Ｔであることに限定されない。
【０１２０】
なお、本実施形態では、消去パワーＰｅとして、書き換え型情報記録媒体として説明しているが、本発明はこれに限定されるものではない。消去パワーＰｅをスペースパワーＰｓとして、追記型情報記録媒体に適用可能である。
【０１２１】
なお、本実施形態では、記録パルスパラメータは情報記録媒体に記載されていると説明したが、本発明はこれに限定されるものではない。例えば、光ディスク装置のメモリ部に格納されていても良い。
【０１２２】
（実施形態３）
次に、本実施形態３にかかる光ディスク装置を説明する。
【０１２３】
本実施形態にかかる光ディスク装置の構成は、図７に示す光ディスク装置７００の構成と同じである。したがって、本実施形態による光ディスク装置を説明するに当たっては、図７を引き続き参照する。
【０１２４】
本実施形態にかかる光ディスク装置は、その処理の一部において、図７に示す光ディスク装置７００と異なっている。以下、その異なる処理を説明する。実施形態１に関連して説明した光ディスク装置の処理手順のうち、本実施形態においても同様に適用される処理手順の説明は省略する。
【０１２５】
次に、本実施形態での光ディスク装置７００の記録動作を説明する。
【０１２６】
コントローラ部７０７は、記録データと記録パルスパラメータを記録パルス生成部７０４に渡す。
【０１２７】
この記録パルスパラメータは、情報記録媒体７０１に記録されている。
【０１２８】
記録パルス生成部７０４は、受け取った記録データと記録パルスパラメータに基づいて、記録信号を生成する。
【０１２９】
記録パルス生成部７０４では、記録パルスパラメータ内のフラグを検出して、フラグがＯＦＦであった場合は、記録パルスパラメータにしたがって記録信号を生成し、フラグがＯＮで合った場合には、記録データが２Ｔであり、記録マークを形成する極性であった場合に、図１７で示すような２Ｔ記録パルスを生成する。
【０１３０】
図１７について、説明する。記録データが２Ｔであった場合に、２Ｔのトップパルスの立ち下がり時間から、２Ｔ−ｄＴｅ８０７で定義される期間を、冷却パワーＰｃ８０３ではなく、消去パワーＰｅ８０２となるような記録信号を生成する。
【０１３１】
記録パルス生成部７０４は生成した記録信号を、レーザ制御部７０３に渡す。
【０１３２】
生成された記録信号を受け取ったレーザ制御部７０３は、記録信号をもとに、光ヘッド部に搭載されたレーザの発光を制御して、情報記録媒体７０１にマークを形成する。これによりデータが記録される。
【０１３３】
なお、本実施形態では、図１７において、Ｎ／２型ライトストラテジを用いて説明したが、本発明はＮ／２型ライトストラテジに限定されるものではない。例えば、図１１と図１２に示すＮ−１型のライトストラテジや、図１３と図１４に示すキャッスル型と呼ばれるライトストラテジにも適用可能である。
【０１３４】
（実施形態４）
次に、本実施形態にかかる情報記録媒体を説明する。
【０１３５】
本実施形態の情報記録媒体には、図９Ａに示すようなＮ／２型ライトストラテジの記録パルスパラメータが記載されている。
【０１３６】
このとき、２ＴマークのｄＴｔｏｐ、Ｔｔｏｐ、ｄＴｅの関係が、全ての前後スペースとの関係で、以下の式（２）を満たす。
１Ｔ［ｎｓ］  −  Ｔｔｏｐ［ｎｓ］  ＋  ｄＴｔｏｐ［ｎｓ］  −  ｄＴｅ［ｎｓ］  ＝  ０［ｎｓ］      ・・・（２）
なお、式（２）は、ｎｓ単位での計算である必要はなく、それぞれのパラメータが、例えば、Ｔをｋ（ｋは整数）等分した時間を１ｓｔｅｐとして、パルス幅やパルス位置がｓｔｅｐ数で表される場合は、
ｋ［ｓｔｅｐ］  −  Ｔｔｏｐ［ｓｔｅｐ］  ＋  ｄＴｔｏｐ［ｓｔｅｐ］  −  ｄＴｅ［ｓｔｅｐ］  ＝  ０［ｓｔｅｐ］    ・・・（３）
としてもよい。
【０１３７】
次に本発明の実施形態による情報記録媒体の一例である多層光ディスクを説明する。図１８に本発明の実施形態の情報記録媒体の一例として、記録層を３層有する情報記録媒体１８００を示す。レーザ光の入射方向１８１０から一番奥の記録層をＬ０層１８０１として、レーザ光の入射方向に近づくに従いＬ１層１８０２、Ｌ２層１８０３がある。
【０１３８】
図１９は、情報記録媒体の少なくとも１つの記録層の平面上の領域構成を示す。情報記録媒体の内周側から内周領域（Ｉｎｎｅｒ  Ｚｏｎｅ）１９０１、データ領域（Ｄａｔａ  Ｚｏｎｅ）１９０２、外周領域（Ｏｕｔｅｒ  Ｚｏｎｅ）１９０３が配置されている。内周領域１９０１内のディスク管理情報領域１９０４には、ＤＩ（Ｄｉｓｃ  Ｉｎｆｏｒｍａｔｉｏｎ）と呼ばれるディスク管理情報が記録されている。このＤＩの中に、記録パルスパラメータは含まれている。このようなディスク管理情報は、媒体製造時にあらかじめ記録されている。例えば、図１８に示した３層情報記録媒体においては、少なくともＬ０層１８０１にディスク管理情報を記録しておく。こうすることで、光ディスク装置においては、Ｌ０層１８０１のＤＩを再生することで、Ｌ０層〜Ｌ２層までの全ての記録層のディスク管理情報を一括して読み出すことができ、起動時間を短縮できる。なお、ここでは３層の情報記録媒体について説明したが、これに限定されない。１層や２層の情報記録媒体や４層以上の情報記録媒体にも適用できる。例えば、ｎ層情報記録媒体（ｎは１以上の整数）では、Ｌ０、Ｌ１、、、Ｌｎ−１というｎ個の記録層を有している。ｎ個の記録層のうち少なくとも１つの層にディスク管理情報を記録しておけばよい。
【０１３９】
また、本発明の実施形態のライトストラテジは、情報記録媒体のどの記録層に適用させてもかまわない。なお、本発明の実施形態のライトストラテジは、式（２）、式（３）を満たす。このとき２Ｔ記録パルスは、図１０に示したような冷却パワーがない形状になる。冷却パワーがないため、マークを形成するためには、記録層の放熱特性を考慮する必要がある。放熱特性ということに関して言えば、例えば、図１８に示した３層の情報記録媒体のＬ０層１８０１に適用させる場合、Ｌ０層から見て、レーザ光入射側とは反対側には記録層がないため、光の透過を気にすることなく、Ｌ０層の放熱特性に影響のある膜を厚くすることができる。こうすることで、Ｌ０層は、放熱特性を大きくすることが比較的容易であり、本発明の効果が特に期待できる。また、Ｌ０層以外の層についても、放熱特性を確保できれば、本発明の効果が期待できる。なお、ここでは３層の情報記録媒体について説明したが、これに限定されず、１層や２層の情報記録媒体や４層以上の情報記録媒体にも適用できる。
【０１４０】
なお、本実施形態では、記録パルスパラメータの記録マークに対する分類を、２Ｔマーク、３Ｔマーク、４Ｔ以上の偶数マーク、５Ｔ以上の奇数マークと分類したが、本発明はこれに限定されるものではない。例えば、２Ｔマーク、３Ｔマーク、４Ｔマーク、６Ｔ以上の偶数マーク、５Ｔ以上の奇数マークと分類してもよい。また、２Ｔマーク、３Ｔマーク、４Ｔマーク、５Ｔマーク、６Ｔ以上の偶数マーク、７Ｔ以上の奇数マークと分類してもよい。
【０１４１】
なお、本実施形態では、Ｎ／２型ライトストラテジを用いて説明したが、本発明はＮ／２型ライトストラテジに限定されるものではない。例えば、図１１と図１２に示すＮ−１型のライトストラテジや、図１３と図１４に示すキャッスル型と呼ばれるライトストラテジにも適用可能である。
【０１４２】
なお、本実施形態では、記録パルスパラメータの記録マークの前後スペースに対する分類を、２Ｔスペース、３Ｔスペース、４Ｔスペース、５Ｔ以上スペースと分類したが、本発明はこれに限定されるものではない。例えば、２Ｔスペース、３Ｔスペース、４Ｔスペース、５Ｔスペース、６Ｔ以上スペースのようにさらに分類してもよいし、２Ｔスペース、３Ｔスペース、４Ｔ以上スペースのように分類を縮小してもよい。
【０１４３】
なお、本実施形態では、記録パルスパラメータの２Ｔマークに対して、前後スペースの組み合わせで分類しているが、本発明はこれに限定されるものではない。例えば、ｄＴｔｏｐ、Ｔｔｏｐ前スペースの長さのみでの分類や、ｄＴｅは後ろスペースの長さのみでの分類としてもよい。
【産業上の利用可能性】
【０１４４】
本発明は、情報記録媒体に高密度の記録を行う技術分野において特に有用である。また、本発明によると、高密度化した情報記録媒体にＳＮＲがより良い記録を行うことが可能であり、再生時のエラーレートを低減することが可能であるため、高密度の情報記録媒体の実現に有用である。
【符号の説明】
【０１４５】
７００  光ディスク装置
７０１  情報記録媒体
７０２  光ヘッド部
７０３  レーザ制御部
７０４  記録パルス生成部
７０５  再生信号処理部
７０６  データ処理部
７０７  コントローラ部
７０８  メモリ部
【図１】
2011111366.tif 000004
【図２】
2011111366.tif 000005
【図３】
2011111366.tif 000006
【図４】
2011111366.tif 000007
【図５】
2011111366.tif 000008
【図６】
2011111366.tif 000009
【図７】
2011111366.tif 000010
【図８Ａ】
2011111366.tif 000011
【図８Ｂ】
2011111366.tif 000012
【図８Ｃ】
2011111366.tif 000013
【図９Ａ】
2011111366.tif 000014
【図９Ｂ】
2011111366.tif 000015
【図１０】
2011111366.tif 000016
【図１１】
2011111366.tif 000017
【図１２】
2011111366.tif 000018
【図１３】
2011111366.tif 000019
【図１４】
2011111366.tif 000020
【図１５】
2011111366.tif 000021
【図１６】
2011111366.tif 000022
【図１７】
2011111366.tif 000023
【図１８】
2011111366.tif 000024
【図１９】
2011111366.tif 000025
【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
レーザ光をレンズで集光させてマークとスペースとを組み合わせたデータ列を情報記録媒体に記録する記録方法であって、
前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせ、
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークであり、
Ｐ≦λ／４ＮＡを満たす前記マークを形成するときの前記クーリングパルスの幅をゼロに設定し、
Ｐ＞λ／４ＮＡを満たす前記マークを形成するときの前記クーリングパルスの幅をゼロ以外に設定する、記録方法。
【請求項２】
（削除）
【請求項３】
（削除）
【請求項４】
Ｐ≦λ／４ＮＡを満たす前記マークを形成するときは、前記マークの前後のスペースの長さに関係なく前記クーリングパルスの幅をゼロに設定し、
Ｐ＞λ／４ＮＡを満たす前記マークを形成するときは、前記マークの前後のスペースの長さの少なくとも一方に応じて、前記クーリングパルスの幅をゼロ以外に設定する、請求項１に記載の記録方法。
【請求項５】
レーザ光を集光させるレンズを有する光ヘッド部と、記録用信号のパルス形状を制御する制御部とを備え、マークとスペースとを組み合わせたデータ列を情報記録媒体に記録する記録装置であって、
前記制御部は、前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせ、
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークであり、
前記制御部は、
Ｐ≦λ／４ＮＡを満たす前記マークを形成するときの前記クーリングパルスの幅をゼロに設定し、
Ｐ＞λ／４ＮＡを満たす前記マークを形成するときの前記クーリングパルスの幅をゼロ以外に設定する、記録装置。
【請求項６】
（削除）
【請求項７】
（削除）
【請求項８】
前記制御部は、
Ｐ≦λ／４ＮＡを満たす前記マークを形成するときは、前記マークの前後のスペースの長さに関係なく前記クーリングパルスの幅をゼロに設定し、
Ｐ＞λ／４ＮＡを満たす前記マークを形成するときは、前記マークの前後のスペースの長さの少なくとも一方に応じて、前記クーリングパルスの幅をゼロ以外に設定する、請求項５に記載の記録装置。
【請求項９】
レンズで集光されたレーザ光が照射されることにより、マークとスペースとを組み合わせたデータ列が記録される情報記録媒体であって、
前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせた記録条件が記録されたディスク情報領域を備え、
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークであり、
Ｐ≦λ／４ＮＡを満たす前記マークを形成するときの前記クーリングパルスの幅がゼロ、Ｐ＞λ／４ＮＡを満たす前記マークを形成するときの前記クーリングパルスの幅がゼロ以外となる記録条件が前記ディスク情報領域に記録された、情報記録媒体。
【請求項１０】
Ｐ≦λ／４ＮＡを満たす前記マークを形成するときは、前記マークの前後のスペースの長さに関係なく前記クーリングパルスの幅がゼロ、Ｐ＞λ／４ＮＡを満たす前記マークを形成するときは、前記マークの前後のスペースの長さの少なくとも一方に応じて、前記クーリングパルスの幅がゼロ以外となる記録条件が前記ディスク情報領域に記録された、請求項９に記載の情報記録媒体。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
レーザ光をレンズで集光させてマークとスペースとを組み合わせたデータ列を情報記録媒体に記録する記録方法であって、
前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせ、
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークであり、
Ｐ≦λ／４ＮＡを満たす前記マークを形成するときの前記クーリングパルスの幅をゼロに設定し、
Ｐ＞λ／４ＮＡを満たす前記マークを形成するときの前記クーリングパルスの幅をゼロ以外に設定する、記録方法。
【請求項２】
Ｐ≦λ／４ＮＡを満たす前記マークを形成するときは、前記マークの前後のスペースの長さに関係なく前記クーリングパルスの幅をゼロに設定し、
Ｐ＞λ／４ＮＡを満たす前記マークを形成するときは、前記マークの前後のスペースの長さの少なくとも一方に応じて、前記クーリングパルスの幅をゼロ以外に設定する、請求項１に記載の記録方法。
【請求項３】
レーザ光を集光させるレンズを有する光ヘッド部と、記録用信号のパルス形状を制御する制御部とを備え、マークとスペースとを組み合わせたデータ列を情報記録媒体に記録する記録装置であって、
前記制御部は、前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせ、
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークであり、
前記制御部は、
Ｐ≦λ／４ＮＡを満たす前記マークを形成するときの前記クーリングパルスの幅をゼロに設定し、
Ｐ＞λ／４ＮＡを満たす前記マークを形成するときの前記クーリングパルスの幅をゼロ以外に設定する、記録装置。
【請求項４】
前記制御部は、
Ｐ≦λ／４ＮＡを満たす前記マークを形成するときは、前記マークの前後のスペースの長さに関係なく前記クーリングパルスの幅をゼロに設定し、
Ｐ＞λ／４ＮＡを満たす前記マークを形成するときは、前記マークの前後のスペースの長さの少なくとも一方に応じて、前記クーリングパルスの幅をゼロ以外に設定する、請求項３に記載の記録装置。
【請求項５】
レンズで集光されたレーザ光が照射されることにより、マークとスペースとを組み合わせたデータ列が記録される情報記録媒体であって、
前記レーザ光の光学的な分解能の限界以上に短い長さのマークを形成するときのクーリングパルスの条件と、前記レーザ光の光学的な分解能の限界に達しない長さのマークを形成するときのクーリングパルスの条件とを異ならせた記録条件が記録されたディスク情報領域を備え、
マークの長さをＰ、前記レーザ光の波長をλ、前記レンズの開口数をＮＡとしたとき、
前記レーザ光の光学的な分解能の限界以上に短い長さの前記マークは、Ｐ≦λ／４ＮＡを満たすマークであり、
前記レーザ光の光学的な分解能の限界に達しない長さの前記マークは、Ｐ＞λ／４ＮＡを満たすマークであり、
Ｐ≦λ／４ＮＡを満たす前記マークを形成するときの前記クーリングパルスの幅がゼロ、Ｐ＞λ／４ＮＡを満たす前記マークを形成するときの前記クーリングパルスの幅がゼロ以外となる記録条件が前記ディスク情報領域に記録された、情報記録媒体。
【請求項６】
Ｐ≦λ／４ＮＡを満たす前記マークを形成するときは、前記マークの前後のスペースの長さに関係なく前記クーリングパルスの幅がゼロ、Ｐ＞λ／４ＮＡを満たす前記マークを形成するときは、前記マークの前後のスペースの長さの少なくとも一方に応じて、前記クーリングパルスの幅がゼロ以外となる記録条件が前記ディスク情報領域に記録された、請求項５に記載の情報記録媒体。                                                                                
【国際調査報告】
2011111366.tif 000026
2011111366.tif 000027
2011111366.tif 000028
2011111366.tif 000029